(57)【要約】【課題】光源や受光部を駆動する駆動回路を実装した回路基板を、効率よく冷却可能な一体型走査光学ユニット等を提供する。【解決手段】画像形成装置１００の画像読取部１０２を、コンタクトガラス２０３を有するスキャナカバー部２０１、スキャナフレーム部２０２、スキャナフレーム部２０２内に収容された一体型走査光学ユニット３０１、一体型走査光学ユニット３０１の移動手段としてのガイドロッド３０２、レール３０３等を備えて構成する。一体型走査光学ユニット３０１は、光源４０１、反射ミラー４０２、結像レンズ４０３、ハウジング４０４、ハウジング４０４の外側に配置されイメージセンサ４０７およびＩＣチップ４０８を実装した回路基板４０５を備えて構成する。回路基板４０５とハウジング４０４との間に、空気流が流通する流路Ｆを形成し、回路基板４０５の盤面４０５ａの下端を、ハウジング４０４から突出させる。【選択図】図４
2015122646.tif 000002
【特許請求の範囲】
【請求項１】
原稿台に載置された原稿を照射する光源と、
前記原稿からの反射光を受光して画像を読み取る受光部と、
前記原稿からの前記反射光を前記受光部に導く反射部と、
前記光源および前記受光部を駆動する駆動回路が実装された回路基板と、
前記光源、前記受光部、前記反射部、および、前記回路基板を一体に保持して前記原稿台に沿って往復移動するハウジングと、を備え、
前記回路基板は、前記ハウジングの移動方向に盤面を向けて、前記ハウジングの一側に空隙を介して配置され、前記回路基板の前記盤面と前記ハウジングの外面との間に、空気流が流動する流路を形成するとともに、前記盤面を、前記移動方向と交わる方向において、前記ハウジングから突出させていることを特徴とする一体型走査光学ユニット。
【請求項２】
前記流路を形成する前記回路基板の前記盤面と、前記ハウジングの前記外面との少なくとも一方を、前記移動方向に対して傾斜して配置したことを特徴とする請求項１に記載の一体型走査光学ユニット。
【請求項３】
原稿台に載置された原稿を照射する光源と、
前記原稿からの反射光を受光して画像を読み取る受光部と、
前記原稿からの前記反射光を前記受光部に導く反射部と、
前記光源および前記受光部を駆動する駆動回路が実装された回路基板と、
前記光源、前記受光部、前記反射部、および、前記回路基板を一体に保持して前記原稿台に沿って往復移動するハウジングと、を有する一体型走査光学ユニット、
前記一体型走査光学ユニットを収容する収容部、および、
前記一体型走査光学ユニットを、前記原稿に対して相対的に往復移動させる移動手段、を備え、
前記回路基板は、前記ハウジングの移動方向に盤面を向けて、前記ハウジングの一側に空隙を介して配置され、前記回路基板の前記盤面と前記ハウジングの外面との間に、空気流が流動する流路を形成するとともに、前記盤面を、前記移動方向と交わる方向において、前記ハウジングから突出させていることを特徴とする画像読取装置。
【請求項４】
前記流路を形成する前記回路基板の前記盤面と、前記ハウジングの前記外面との少なくとも一方を、前記移動方向に対して傾斜して配置したことを特徴とする請求項３に記載の画像読取装置。
【請求項５】
前記収容部には、前記流路からの空気流の流動方向に、ファン部材を設けたことを特徴とする請求項３に記載の画像読取装置。
【請求項６】
前記流路に沿って、該流路と前記収容部内とを隔てる遮蔽部材を、前記ファン部材の近傍に設けたことを特徴とする請求項５に記載の画像読取装置。
【請求項７】
請求項３〜６のいずれか一項に記載の画像読取装置と、
前記画像読取装置で読み取った画像情報に基づいて記録媒体上に画像を形成する画像形成手段と、を備えたことを特徴とする画像形成装置。
【発明の詳細な説明】
【技術分野】
【０００１】
本発明は、照明系、反射ミラー、結像レンズなどの光学系や、ＣＣＤなどのイメージセンサをキャリッジケースに収容した一体型走査光学ユニット、およびこの一体型走査光学ユニットを搭載する画像読取装置、および、この画像読取装置を備えるデジタル複写機、スキャナ、ファクシミリ等の画像形成装置に関する。
【背景技術】
【０００２】
従来、スキャナに代表される画像読取装置では、小型化、高精細化が求められている。そうした流れの中で、「一体型」と呼ばれる画像読取装置は、光源、折り返しミラー、結像レンズなどを有する光学系に加えて、ＣＣＤなどのイメージセンサ、ＩＣチップなどの駆動回路を実装した回路基板が、キャリッジケースに一体的に収容された「一体型走査光学ユニット」を備えており、画像読取装置を小型化する上で優位性がある。しかしながら、駆動回路の高速化や高密度化に伴い、この駆動回路の発熱量が増大するため、このような「一体型」の画像読取装置では、回路基板からの熱が光学系などに影響を与えてしまうことがある。
【０００３】
熱による影響を抑制するための技術として、一体型走査ユニット全体をファンで冷却する技術（例えば、特許文献１参照）が開示されている。また、光源を設けた基板に複数の通気孔を形成し、光学素子を搭載した一体型走査ユニットが、副走査方向に往復移動した際に、通気孔を空気流が通過することにより発生する気流を用いて、光源を空冷する技術も開示されている（例えば、特許文献２参照）。
【０００４】
しかしながら、特許文献１のファンを用いた従来技術では、ファンによる回路基板の冷却効果については何ら開示がない。また、ファンを用いた場合は、外気からのチリやホコリが光学素子の表面に付着して画像品質に影響するのを防止するため、防塵性が重要となってくる。また、特許文献２に記載の気流を用いた従来技術では、光源を空冷するものであり、発熱の大きな原因となる回路基板を冷却するものではなかった。
【発明の概要】
【発明が解決しようとする課題】
【０００５】
本発明は、上記の事情に鑑みて為されたもので、光源や受光部を駆動する駆動回路を実装した回路基板を、効率よく冷却することが可能な一体型走査光学ユニットを提供することを目的とする。
【課題を解決するための手段】
【０００６】
上記の目的を達成するため、本願に係る一体型走査光学ユニットは、原稿台に載置された原稿を照射する光源と、原稿からの反射光を受光して画像を読み取る受光部と、原稿からの反射光を受光部に導く反射部と、光源および受光部を駆動する駆動回路が実装された回路基板と、光源、受光部、反射部、および、回路基板を一体に保持して原稿台に沿って往復移動するハウジングと、を備え、回路基板は、ハウジングの移動方向に盤面を向けて、ハウジングの一側に空隙を介して配置され、回路基板の盤面とハウジングの外面との間に、空気流が流動する流路を形成するとともに、盤面を、移動方向と交わる方向において、ハウジングから突出させていることを特徴とする。
【発明の効果】
【０００７】
本発明によれば、光源や受光部を駆動する駆動回路を実装した回路基板を、効率よく冷却することが可能な一体型走査光学ユニットを得ることができる。
【図面の簡単な説明】
【０００８】
【図１】本願の実施例１に係る画像形成装置の構成を示す概略図である。
【図２】本願の実施例１に係る画像読取装置の構成を示す概略図である。
【図３】本願の実施例１に係る画像読取装置の内部構成を示す斜視図である。
【図４】本願の実施例１に係る一体型走査光学ユニットの構成を示す断面図である。
【図５】本願の実施例２に係る一体型走査光学ユニットの構成を示す断面図である。
【図６】本願の実施例３に係る一体型走査光学ユニットの構成を示す断面図である。
【図７】比較例に係る一体型走査光学ユニットの構成を示す断面図である。
【発明を実施するための形態】
【０００９】
以下、本願に係る一体型走査光学ユニットを備えた画像形成装置の各実施例について、図面を参照しながら説明する。
【００１０】
（実施例１）
本願の実施例１に係る画像形成装置の構成について、図１、図２を参照して説明する。画像形成装置としては、例えば、複写機、ファクシミリ、印刷装置等が挙げられる。図１に示すように、実施例１の画像形成装置１００は、画像形成部１０１と、用紙供給装置４０と、原稿搬送読取ユニット１０４と、を備えている。
【００１１】
また、画像形成装置１００は、画像形成部１０１と、用紙供給装置４０、および、原稿搬送読取ユニット１０４の各部の動作を制御する制御部（図示せず）も備えている。制御部は、画像形成装置１００全体を制御するＣＰＵ（Central Processing Unit）、各種データや各種プログラムを記憶するＲＯＭ（Read Only Memory）、ＲＡＭ（Random Access Memory）およびＨＤＤ（Hard disk drive）等からなる記憶部等を備えている。制御部のＣＰＵが、記憶部に格納されたプログラムを読み出して実行することで、画像形成装置の処理が実行される。
【００１２】
原稿搬送読取ユニット１０４は、画像形成部１０１の上部に固定された画像読取部（本願の画像読取装置）１０２と、この画像読取部１０２に支持される原稿搬送装置としての自動原稿給送ユニット（Auto Document Feeder、以下、「ＡＤＦ」という）１０３とを有している。
【００１３】
用紙供給装置４０は、ペーパーバンク４１内に多段に配設された２つの給紙カセット４２、給紙カセット４２から記録媒体としての用紙を送り出す送出ローラ４３、および、送り出された用紙を分離して給紙路４４に供給する分離ローラ４５等を有している。また、画像形成装置１００の給紙路３７に用紙を搬送する複数の搬送ローラ４６等も有している。このような構成の用紙供給装置４０により、給紙カセット４２内の用紙を、画像形成装置１００内の給紙路３７内に給紙するようになっている。
【００１４】
画像形成部１０１は、画像読取部１０２で読み取った画像情報に基づいて、記録媒体上に画像を形成する。画像形成部１０１は、光書込装置２、Ｋ（ブラック）、Ｙ（イエロー）、Ｍ（マゼンタ）、Ｃ（シアン）色の各トナー像を形成する４つのプロセスユニット３Ｋ，３Ｙ，３Ｍ，３Ｃ、中間転写ベルト２５を有する転写ユニット２４、紙搬送ユニット２８、レジストローラ対３３、定着装置３４、排紙ローラ対３５、スイッチバック装置３６、および、給紙路３７、等を備え、電子写真方式の構成となっている。
【００１５】
このような構成の画像形成部１０１では、光書込装置２内に配設されたレーザダイオードやＬＥＤ等の光源（以上、図示せず）を駆動して、プロセスユニット３Ｋ，３Ｙ，３Ｍ，３Ｃの感光体４Ｋ，４Ｙ，４Ｍ，４Ｃに向けてレーザ光を照射する。このレーザ光の照射により、ドラム状の感光体４Ｋ、４Ｙ、４Ｍ、４Ｃの表面には静電潜像が形成され、この静電潜像は所定の現像プロセスを経由してトナー像に現像される。なお、図面および明細書の説明中で符号の後に付されたＫ、Ｙ、Ｍ、Ｃという添字は、ブラック、イエロー、マゼンタ、シアンを示す。したがって、Ｋ、Ｙ、Ｍ、Ｃの添え字が付された部材は、それぞれブラック、イエロー、マゼンタ、シアン用の仕様であることを示している。
【００１６】
上記構成の画像形成装置１００において、画像形成部１０１の各感光体４Ｋ、４Ｙ、４Ｍ、４Ｃの表面に形成されたトナー像は、図１中に矢印で示すように時計回り方向に無端移動する中間転写ベルト２５に、順次重ね合わせて１次転写される。この１次転写により、中間転写ベルト２５には４色重ね合わせのカラートナー像が形成される。また、用紙供給装置４０から供給された用紙が、レジストローラ対３３により所定のタイミングで、紙搬送ユニット２８と中間転写ベルト２５との間で形成された２次転写ニップに送り出される。この２次転写ニップにより、中間転写ベルト２５上のカラートナー像が、用紙に一括して２次転写される。
【００１７】
２次転写ニップを通過した用紙は、中間転写ベルト２５から離間して定着装置３４へ搬送される。定着装置３４に搬送された用紙は、定着装置３４内における加圧や加熱によってフルカラー画像が定着された後、定着装置３４から排紙ローラ対３５に送られた後、機外へと排出される。なお、画像形成部１０１は、図１に示すような電子写真方式の構成に限定されるものではなく、インクジェット記録方式等の構成であってもよい。
【００１８】
画像形成部１０１の上部に配置された画像読取部１０２は、図２、図３に示すように、収容部（筐体）として、画像読取部１０２の上面を構成するスキャナカバー部２０１と、画像読取部１０２の側面および下面を構成するスキャナフレーム部２０２と、を備えている。スキャナカバー部２０１は、原稿Ｇが通過または原稿Ｇを載置するコンタクトガラス２０３を備えている。このコンタクトガラス２０３は、原稿Ｇに接触するようにスキャナカバー部２０１に固定されている。
【００１９】
また、図３に示すように、画像読取部１０２の内部には、原稿Ｇに光を照射して反射光を読み取る一体型走査光学ユニット３０１と、この一体型走査光学ユニット３０１を副走査方向Ｙに移動するためのガイドロッド３０２、レール３０３およびスティッピングモータ等の駆動手段（図示せず）と、からなる移動手段が設けられている。一体型走査光学ユニット３０１は、図１に示すように、コンタクトガラス２０３の直下に、副走査方向Ｙ（図１の左右方向）に移動可能に配設されている。一体型走査光学ユニット３０１は照明、反射ミラー、結像レンズ、ＣＣＤなどのイメージセンサ（これらの詳細は後述する）を１つのユニットとして一体化したものであり、原稿台としてのコンタクトガラス２０３上の原稿Ｇの画像情報を読み取るものである。一体型走査光学ユニット３０１で読み取られた画像情報は、画像形成部１０１に送られる。
【００２０】
以下、本願の実施例１に係る一体型走査光学ユニット３０１の詳細について、図４を参照して説明する。図４に示すように、実施例１の一体型走査光学ユニット３０１は、光源４０１と、反射部としての反射ミラー４０２と、結像レンズ４０３と、ハウジング４０４と、受光部としてのＣＣＤ等のイメージセンサ４０７および駆動回路（デバイス）としてのＩＣチップ４０８を実装した回路基板４０５と、を備えている。ハウジング４０４は、光源４０１、反射ミラー４０２、結像レンズ４０３、イメージセンサ４０７およびＩＣチップ４０８を実装した回路基板４０５を一体に保持して、副走査方向Ｙに移動する。光源４０１、反射ミラー４０２、結像レンズ４０３は、ハウジング４０４の内部に収容されている。
【００２１】
回路基板４０５は、ハウジング４０４との間に架け渡した橋状の板金４０６によって、ハウジング４０４の側面部４０４ａの外側に固定されている。このとき、回路基板４０５の盤面４０５ａがハウジング４０４の移動方向（副走査方向）に向いて配置され、盤面４０５ａとハウジング４０４の外面との間に、空隙が介在するように、回路基板４０５を配置する。
【００２２】
光源４０１は、原稿Ｇに光を照射するＬＥＤ等からなり、主走査方向Ｘ（図４の紙面を貫く方向）に、所定間隔で複数個配列されている。反射部としての反射ミラー４０２は、原稿Ｇからの反射光を反射して、受光部としてのイメージセンサ４０７に導く。結像レンズ４０３は、反射ミラー４０２からの反射光をイメージセンサ４０７上に結像する。ハウジング４０４は、光源４０１、反射ミラー４０２および結像レンズ４０３を直接的または間接的に保持して収容する筺体である。
【００２３】
回路基板４０５に実装された受光部としてのイメージセンサ４０７は、ＣＣＤなどの光電変換素子からなり、反射ミラー４０２から入射した原稿Ｇからの反射光を受光して、光電変換する。ＩＣチップ４０８は、イメージセンサ４０７および光源４０１を駆動させるとともに、イメージセンサ４０７が光電変換した電気信号に対して所定の処理を施す。
【００２４】
また、図４に示すように、回路基板４０５は、イメージセンサ４０７およびＩＣチップ４０８を実装した盤面４０５ａが、ハウジング４０４の移動方向（副走査方向Ｙ）に向けて垂直に配置されている。更に、回路基板４０５は、上下方向Ｚにおいて、その中心が、ハウジング４０４の中心よりも下方にずれて配置されている。この構成により、回路基板４０５の盤面４０５ａの下部が、ハウジング４０４の下面４０４ｂから突出している。また、回路基板４０５の上端は、ハウジング４０４の側面部４０４ａの上端よりも下側（コンタクトガラス２０３とは反対側）に位置し、回路基板４０５の上端とコンタクトガラス２０３との間には、後述の比較例の場合に比べて広い隙間が介在している。
【００２５】
このような構成により、一体型走査光学ユニット３０１を副走査方向に走査させた場合に、回路基板４０５の下部とハウジング４０４との間の開口ｄ１と、回路基板４０５の上部とハウジング４０４との間の開口ｄ２を入口または出口とする空気の流路Ｆ１が、回路基板４０５の盤面４０５ａとハウジング４０４の側面部４０４ａとの間に形成される。また、この流路Ｆ１は、開口ｄ１側で、ハウジング４０４の下面４０４ｂとスキャナフレーム部２０２の表面との間に形成される流路Ｆ２と連通し、開口ｄ２側で、回路基板４０５の上端とコンタクトガラス２０３の表面との間に形成される流路と連通する。このように、スキャナフレーム部２０２、回路基板４０５、ハウジング４０４との配置関係により、流路Ｆ１、Ｆ２、Ｆ３からなる空気流の流路Ｆが形成される。
【００２６】
以上のような構成の一体型走査光学ユニット３０１を備えた構成の画像読取部１０２での画像データの読み取り動作を説明する。まず、ＡＤＦ１０３によって搬送される原稿Ｇの画像データを読み取る場合には、一体型走査光学ユニット３０１は、図１中Ａの位置に移動して停止する。この停止状態で、ＡＤＦ１０３によって搬送される原稿Ｇがコンタクトガラス２０３上を通過する際に、光源４０１から原稿Ｇに向けて光を発する。この光源４０１から発した光を、原稿面で順次反射させながら、反射ミラー４０２や結像レンズ４０３等を経由させて、イメージセンサ４０７で原稿Ｇの画像データを読み取る（以上、図４等参照）。
【００２７】
一方、コンタクトガラス２０３上に載置された原稿Ｇの画像データを読み取る場合には、駆動モータ等を駆動して、一体型走査光学ユニット３０１を、レール３０３に沿って図１中Ａの位置から紙面右方向（副走査方向）に移動させる。一体型走査光学ユニット３０１は、副走査方向Ｙに移動しながら、光源４０１から原稿Ｇに向けて光を発する。この光源４０１から発した光を、コンタクトガラス２０３上に載置された原稿Ｇで反射させ、反射ミラー４０２や結像レンズ４０３等を経由させて、イメージセンサ４０７で原稿Ｇの画像を読み取る。
【００２８】
（比較例）
ここで、図７を用いて、比較例としての一体型走査光学ユニット３０１’について説明する。比較例の一体型走査光学ユニット３０１’は、回路基板４０５’の取り付け構造が、実施例１異なる。図７に示すように、比較例の一体型走査光学ユニット３０１’は、画像読取部１０２’のスキャナフレーム部２０２’内に収容され、光源４０１’と、反射ミラー４０２’と、結像レンズ４０３’と、ハウジング４０４’と、イメージセンサ４０７’およびＩＣチップ４０８’を表面実装した回路基板４０５’と、を備えている。
【００２９】
この比較例でも、回路基板４０５’は、盤面４０５ａ’が副走査方向Ｙに向けて垂直に配置され、板金４０６’によりハウジング４０４’の側面部４０４ａ’の外側に空隙を介して固定されている。ここで、実施例１の回路基板４０５は、上下方向Ｚにおいて、ハウジング４０４の下面４０４ｂから盤面４０５ａが突出するような取り付け構造となっている。これに対して、比較例の回路基板４０５’は、上下方向Ｚにおいて、ハウジング４０４’の側面部４０４ａ’のほぼ中央に固定されている。回路基板４０５’の上端および下端が、ハウジング４０４’の側面部４０４ａ’の面内にあり、回路基板４０５’の盤面４０５ａ’がハウジング４０４’から突出していない構造となっている。また、一体型走査光学ユニット３０１’は、前述したように、コンタクトガラス２０３’の直下に配置されている。そのため、ハウジング４０４’の側面部４０４ａ’の上端とほぼ同じ高さの回路基板４０５’の上端と、コンタクトガラス２０３’との間隔が狭く、隙間が殆んど形成されていない状態となっている。
【００３０】
（実施例１、比較例での冷却効果）
上述のような構成の実施例１の一体型走査光学ユニット３０１と、比較例の一体型走査光学ユニット３０１’とを副走査方向に走査させた際の回路基板４０５、４０５’の冷却効果について説明する。まず、画像形成装置を作動した際に、一体型走査光学ユニットで最も発熱を生じる箇所は、ＩＣチップ付近であり、この発熱により、ＩＣチップやイメージセンサ、光源や結像レンズなどの光学系に影響を与えてしまう。
【００３１】
比較例の一体型走査光学ユニット３０１’を副走査方向Ｙに走査させた場合、図７に示すように、ハウジング４０４’の下面４０４ｂ’とスキャナフレーム部２０２’の表面との間の空間を流路Ｆ’として空気流が流れる。そのため、この流路Ｆ’と直交するハウジング４０４’と回路基板４０５’の間の空隙内に空気流が流入しにくい。また、上述したように、回路基板４０５’とコンタクトガラス２０３’との間隔も狭く、回路基板４０５’とハウジング４０４’の側面部４０４ａ’との間に空気流が流れにくい。そのため、ＩＣチップ４０８’近傍で発生した熱が逃げにくい構造となっており、光学系などに熱の影響を与えてしまう。光学系が熱の影響を受けると、熱膨張などによって光学系の部材の位置関係が変化し、イメージセンサ４０７’に反射光を良好に導くことができなくなることがある。
【００３２】
これに対して、実施例１の一体型走査光学ユニット３０１では、副走査方向Ｙに走査させた場合に、スキャナフレーム部２０２内の空気流が、流路Ｆに沿って流れる。これにより、回路基板４０５の熱を効率的に逃がし、放熱性を向上させることができる。その結果、光学系等への熱の影響を抑制し、一体型走査光学ユニット３０１での反射光の読み取りを良好に行うことができる。
【００３３】
より詳細には、まず、一体型走査光学ユニット３０１を副走査方向Ｙにおいて図４の紙面右方向に走査させた場合、スキャナフレーム部２０２内の空気流が、ハウジング４０４の下面４０４ｂとスキャナフレーム部２０２の表面の間の流路Ｆ２を相対的に流動する。流路Ｆ２を流動した空気流は、ハウジング４０４の下面４０４ｂから突出した回路基板４０５の盤面４０５ａに突き当たる。その後、空気流は盤面４０５ａに沿って開口ｄ１方向に流れ、開口ｄ１を入口として回路基板４０５とハウジング４０４との間の流路Ｆ１に流入する。流路Ｆ１内を流動する空気流は、回路基板４０５と熱交換を行いながら、開口ｄ２を出口として流路Ｆ３側に流出することで、回路基板４０５の熱が放出される。
【００３４】
一方、一体型走査光学ユニット３０１を元の位置に戻す場合、すなわち、副走査方向Ｙにおいて紙面右側から左側に移動させる。この移動により、スキャナフレーム部２０２内の空気流が、流路Ｆ３を介して回路基板４０５の上端から突出したハウジング４０４の側面部４０４ａに突き当たる。側面部４０４ａに突き当たった空気流が、この側面部４０４ａに沿って開口ｄ２方向に流動し、開口ｄ１を入口として回路基板４０５とハウジング４０４との間の流路Ｆ１に流入する。この流路Ｆ１を通過した空気流は、回路基板４０５と熱交換を行いながら、開口ｄ２を出口として流路Ｆ２に流出することで、回路基板４０５の熱が放出される。
【００３５】
このように、一体型走査光学ユニット３０１を副走査方向に走査させた際に、流路Ｆに沿って空気流が流動することで、回路基板４０５上での空気流の流速が高まり、放熱性が向上する。また、ＡＤＦ１０３による原稿Ｇの読み取り時には、一体型走査光学ユニット３０１を走査させずに停止させている。この停止の際にも、流路Ｆが自然対流に対する流路として機能するため、回路基板４０５における放熱性の向上につながる。したがって、放熱性に優れた素材や放熱のための部材などを用いなくても、回路基板４０５の放熱性を向上させることができる。
【００３６】
また、流路Ｆを空気流が流動する際に、回路基板４０５と、収容部であるスキャナフレーム部２０２の下部との間隔が広いと、目的外の流路、例えば、回路基板４０５の下端とスキャナフレーム部２０２との間に流路が形成されてしまう。すると、この流路側にも空気流が流動してしまうため、回路基板４０５と収容部材であるスキャナフレーム部２０２の下部との間隔は、極力短いことが望ましい。これにより、流路Ｆ１に空気流が円滑に流入し易くなり、回路基板４０５の放熱性を向上させることができる。
【００３７】
以上、本願の実施例１に係る一体型走査光学ユニット３０１および一体型走査光学ユニット３０１を備えた画像形成装置１００では、発熱の大きい回路基板４０５を効率よく冷却することが可能なる。したがって、ＩＣチップ４０８、イメージセンサ４０７、光源４０１等の光学系に対する熱の影響を低減して、一体型走査光学ユニット３０１で原稿Ｇの画像を精度よく読み取ることができる。その結果、画像形成装置１００により画像品質に優れた画像形成を行うことが可能となる。
【００３８】
また、外部から入り込んだ粉塵がイメージセンサ上に付着した場合、この塵などが付着した場所では光を受光することができなくなることがある。この結果、ＣＣＤなどのイメージセンサに対して、原稿Ｇからの反射光を導くことができず、異物の存在する箇所の画像データが欠損したり不鮮明な画像データとなったりする可能性がある。しかしながら、実施例１に係る一体型走査光学ユニット３０１では、流路Ｆに沿って、空気流がイメージセンサ４０７の表面を通過することで、イメージセンサ４０７の表面に付着する粉塵を除去する効果も期待できる。これにより、画像データの欠損等を抑制して、画像データを精度よく読み取ることができ、画像品質の向上を図ることが可能となる。
【００３９】
（実施例２）
次に、本願の実施例２に係る一体型走査光学ユニットを備えた画像読取装置（画像読取部）について、図５を参照して説明する。実施例２で用いる部材で、実施例１と同様の部材には、同一の符号を付し、詳細な説明は省略する。以降の実施例でも同様である。図５に示すように、実施例２に係る一体型走査光学ユニット３０１Ａは、画像読取部１０２のスキャナフレーム部２０２内に収容され、光源４０１と、反射部としての第１反射ミラー４０２ａおよび第２反射ミラー４０２ｂと、結像レンズ４０３と、ハウジング４０４Ａと、受光部としてのイメージセンサ４０７およびＩＣチップ４０８を表面実装した回路基板４０５と、を備えている。この実施例２に係る一体型走査光学ユニットも、実施例１の画像形成装置１００などに適用することができる。
【００４０】
また、実施例１では、図４に示すように、反射ミラー４０２を１つのみ用いているが、実施例２では、図５に示すように、２枚の反射ミラー（第１反射ミラー４０２ａおよび第２反射ミラー４０２ｂ）を用いている。このように、装置のサイズや使用目的、イメージセンサ４０７へ導く反射光の光路等に対応して、光学系の反射ミラーや結像レンズなどの光学部材の数や種類などを、適宜変化させることができる。
【００４１】
実施例２においても、回路基板４０５は、盤面４０５ａが移動方向（副走査方向）に向けて、ハウジング４０４Ａから突出して配置され、この盤面４０５ａに空気流が突き当たるようにしている。また、回路基板４０５は、板金４０６により空隙を介してハウジング４０４Ａの側面部４０４Ａａの外側に固定されている。さらに、実施例２では、この回路基板４０５の盤面４０５ａが、移動方向（副走査方向）に対して、傾斜するように設置している。このような傾斜した配置により、流路Ｆ１も副走査方向に対して傾斜した状態となり、一体型走査光学ユニット３０１Ａの副走査方向への移動の際に、流速の減少が起こりにくくなる。
【００４２】
また、実施例２では、回路基板４０５の盤面４０５ａを傾斜して配置することを容易とするため、回路基板４０５を固定するハウジング４０４Ａの側面部４０４Ａａも回路基板４０５と平行となるよう傾斜した構造としている。この構成により、ハウジング４０４Ａの側面部４０４Ａａと回路基板４０５との間の流路Ｆ１で空気流が円滑に流動し、流速の減少をより抑制することができる。なお、流路Ｆ１を副走査方向に対して傾斜させることが可能であれば、回路基板４０５とハウジング４０４Ａの側面部４０４Ａａの双方を傾斜させて配置する必要はない。回路基板４０５のみを傾斜させてもよいし、ハウジング４０４の側面部４０４Ａａのみを傾斜させてもよい。
【００４３】
（実施例３）
次に、本願の実施例３に係る一体型走査光学ユニットを備えた画像読取装置について、図６を参照して説明する。図６に示すように、実施例３に係る一体型走査光学ユニット３０１Ｂは、画像読取部１０２のスキャナフレーム部２０２内に収容され、光源４０１と、反射部としての反射ミラー４０２と、結像レンズ４０３と、ハウジング４０４Ｂと、受光部としてのイメージセンサ４０７およびＩＣチップ４０８を表面実装した回路基板４０５と、を備えている。図６には、副走査方向Ｙへの往復移動における一端側（初期位置）Ａに位置する一体型走査光学ユニット３０１Ｂと、他端側（移動先）Ｂに位置する一体型走査光学ユニット３０１Ｂを表示している。
【００４４】
実施例３では、図６に示すように、スキャナフレーム部２０２の一体型走査光学ユニット３０１の移動先の他端側Ｂであって、流路Ｆ２の延長方向（空気流の流動先）の側壁面の下部（図６の紙面右下）に、ファン部材５０２を設けている。このファン部材５０２により、スキャナフレーム部２０２内の空気を外部に排出することで、流路Ｆ（流路Ｆ２、Ｆ１、Ｆ３）内に空気流の流れを形成し、流路Ｆ内での空気流の流動を促進している。さらに、スキャナフレーム部２０２内には、流路Ｆ（Ｆ２）に沿って、スキャナフレーム部２０２内と流路Ｆとを隔てる板状の遮蔽部材５０１を設置している。この遮蔽部材５０１により、ファン部材５０２により形成される空気流が、スキャナフレーム部２０２内の上部側などに流れにくくなり、流路Ｆ（流路Ｆ２、Ｆ１、Ｆ３）内を流動し易い構造となる。そのため、ファン部材５０２により発生した空気流を損失することなく流路Ｆに送ることができる。なお、他端側Ｂまで一体型走査光学ユニット３０１が移動した場合でも、一体型走査光学ユニット３０１と遮蔽部材５０１とが互いに接触しないような位置合わせで、遮蔽部材５０１を設置する。また、実施例３では、流路Ｆ２の延長方向に、ファン部材５０２を設けているが、本願がこれに限定されることはなく、流路Ｆ３の延長方向、すなわち、スキャナフレーム部２０２の図６の紙面左上の壁面に設けてもよい。この場合も、ファン部材５０２により発生した空気流を損失することなく流路Ｆに送ることができる。
【００４５】
以上のように、実施例３の一体型走査光学ユニット３０１Ｂでは、ファン部材５０２の排気力により、スキャナフレーム部２０２内で空気の流れが発生する。この空気流は、流路Ｆ２側に設けられた遮蔽部材５０１によって導かれ、流路Ｆ３から流路Ｆ１、流路Ｆ２に流路を介して流路Ｆに直接流れ込む。そのため、ファン部材５０２により発生した空気流を損失することなく流路Ｆに送ることができ、高い放熱効果が期待できる。また、従来技術では、ファン部材で装置に外気を送風して冷却しているため、外部からの粉塵に対する防塵性を担保する必要があった。しかし、実施例３では、排気により流路Ｆを流れる空気流を発生させる目的でファン部材５０２を設けているものであり、さらに、回路基板４０５の表面を空気流が流動することで、イメージセンサ４０７への塵の付着を良好に抑制することができる。そのため、熱の影響と相俟って、イメージセンサ４０７での画像データの読み取りを精度よく行うことができる。その結果、一体型走査光学ユニット３０１Ｂを備えた画像形成装置での画像品質を向上させることができる。
【００４６】
以上、本発明の実施例および変形例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００４７】
１００  画像形成装置    １０２  画像読取部（画像読取装置）
２０１  スキャナカバー部（収容部）    ２０２  スキャナフレーム部（収容部）
２０３  コンタクトガラス（原稿台）    ４０１  光源
４０２，４０２ａ，４０２ｂ  反射ミラー    ４０５  回路基板
４０５ａ  盤面  ４０４，４０４Ａ，４０４Ｂ  ハウジング
４０４ａ，４０４Ａａ，４０４Ｂａ  側面部（一側）
４０７  イメージセンサ（受光部）
４０８  ＩＣチップ（駆動回路）    ５０１  遮蔽部材
５０２  ファン部材    Ｆ，Ｆ１，Ｆ２，Ｆ３  流路    Ｇ  原稿
【先行技術文献】
【特許文献】
【００４８】
【特許文献１】特開２００４−２６６５８９号公報
【特許文献２】特開２０１３−１９２０５１号公報
【図１】
2015122646.tif 000003
【図２】
2015122646.tif 000004
【図３】
2015122646.tif 000005
【図４】
2015122646.tif 000006
【図５】
2015122646.tif 000007
【図６】
2015122646.tif 000008
【図７】
2015122646.tif 000009